【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
シートフレームと、該シートフレームの後端部に接続される力布とを備えるシートであって、
前記シートフレームに前記力布の端末を接続する取付部材を有し、
前記取付部材は、前記力布の端部を収容する収容部を有する本体と、前記シートフレームの後端部の縁に係止される係止溝とを有し、
前記力布は、前記取付部材によって前記シートフレームの後端部を構成する枠に跨って取り付けられていることを特徴とするシート。
【請求項２】
前記力布は、前記シートフレームの後端部の後方から回り込んで前記取付部材の前方に配置されていることを特徴とする請求項１に記載のシート。
【請求項３】
前記取付部材の前記係止溝には、前記シートフレームの後端部の前方に位置する係止溝前壁部と、前記シートフレームの後端部の後方に位置する係止溝後壁部とが形成されており、
前記係止溝後壁部には、前記係止溝前壁部とともに前記シートフレームの後端部を挟み込む凸部が形成されていることを特徴とする請求項１又は２に記載のシート。
【請求項４】
前記係止溝前壁部には、前記係止溝後壁部の前記凸部とともに前記シートフレームの後端部を挟み込む凸部が形成されていることを特徴とする請求項３に記載のシート。
【請求項５】
前記係止溝後壁部の前記凸部と前記係止溝の最も奥に位置する溝底との距離は、前記係止溝前壁部の前記凸部のうち最も前記溝底側に設けられる凸部と前記溝底との距離よりも大きいことを特徴とする請求項４に記載のシート。
【請求項６】
前記係止溝後壁部の前記凸部は、前記係止溝後壁部の先端部に形成されていることを特徴とする請求項３又は４に記載のシート。
【請求項７】
前記係止溝後壁部の前記凸部は、前記係止溝前壁部の前記凸部よりも大きく形成されていることを特徴とする請求項４又は５に記載のシート。
【請求項８】
前記収容部は、前記シートフレームの後端部よりも前方に配置されていることを特徴とする請求項１乃至７のいずれか一項に記載のシート。
【請求項９】
前記収容部の内壁面には、凸部が形成されていることを特徴とする請求項１乃至８のいずれか一項に記載のシート。
【請求項１０】
前記シートフレームの後端部は、前方に向かって湾曲していることを特徴とする請求項１乃至９のいずれか一項に記載のシート。
【請求項１１】
前記シートはクッションパッドを有し、
前記取付部材は、前記クッションパッドの裏面よりも後方に配置されていることを特徴とする請求項１乃至１０のいずれか一項に記載のシート。
【手続補正２】
【補正対象書類名】明細書
【補正対象項目名】０００５
【補正方法】変更
【補正の内容】
【０００５】
また、着座者側に取付部材が配置されているため、着座者が違和感を感じるおそれがあった。
【手続補正３】
【補正対象書類名】明細書
【補正対象項目名】０００６
【補正方法】変更
【補正の内容】
【０００６】
本発明は、上記の課題に鑑みてなされたものであり、本発明の目的は、力布の端末を接続する取付部材によって力布がシートフレームの後端部に取り付けられていることにより、取付部材との接続状態の安定性を高め、シートフレームとの接続状態の維持に好適なシートを提供することにある。
【手続補正４】
【補正対象書類名】明細書
【補正対象項目名】０００７
【補正方法】変更
【補正の内容】
【０００７】
本発明の他の目的は、着座者が違和感を感じることを抑制することにある。
【手続補正５】
【補正対象書類名】明細書
【補正対象項目名】０００８
【補正方法】変更
【補正の内容】
【０００８】
前記課題は、本願発明に係るシートによれば、シートフレームと、該シートフレームの後端部に接続される力布とを備えるシートであって、前記シートフレームに前記力布の端末を接続する取付部材を有し、前記取付部材は、前記力布の端部を収容する収容部を有する本体と、前記シートフレームの後端部の縁に係止される係止溝とを有し、前記力布は、前記取付部材によって前記シートフレームの後端部を構成する枠に跨って取り付けられていること、により解決される。
【手続補正６】
【補正対象書類名】明細書
【補正対象項目名】０００９
【補正方法】変更
【補正の内容】
【０００９】
上記構成によれば、力布がシートフレームを構成する枠を跨るように取り付けられていることで、力布とシートフレームとの接続状態が好適に維持される。また、力布の端末が取付部材によってシートフレームの後端部に取り付けられているため、着座者が違和感を感じることを抑制することができる。
【手続補正７】
【補正対象書類名】明細書
【補正対象項目名】００１０
【補正方法】変更
【補正の内容】
【００１０】
前記力布は、前記シートフレームの後端部の後方から回り込んで前記取付部材の前方に配置されていると好適である。
【手続補正８】
【補正対象書類名】明細書
【補正対象項目名】００１１
【補正方法】変更
【補正の内容】
【００１１】
前記取付部材の前記係止溝には、前記シートフレームの後端部の前方に位置する係止溝前壁部と、前記シートフレームの後端部の後方に位置する係止溝後壁部とが形成されており、前記係止溝後壁部には、前記係止溝前壁部とともに前記シートフレームの後端部を挟み込む凸部が形成されていると好ましい。
【手続補正９】
【補正対象書類名】明細書
【補正対象項目名】００１２
【補正方法】変更
【補正の内容】
【００１２】
さらに、前記係止溝前壁部には、前記係止溝後壁部の前記凸部とともに前記シートフレームの後端部を挟み込む凸部が形成されていると、より好適である。
【手続補正１０】
【補正対象書類名】明細書
【補正対象項目名】００１３
【補正方法】変更
【補正の内容】
【００１３】
前記係止溝後壁部の前記凸部と前記係止溝の最も奥に位置する溝底との距離は、前記係止溝前壁部の前記凸部のうち最も前記溝底側に設けられている凸部と前記溝底との距離よりも大きいと好ましい。
【手続補正１１】
【補正対象書類名】明細書
【補正対象項目名】００１４
【補正方法】変更
【補正の内容】
【００１４】
前記係止溝後壁部の前記凸部は、前記係止溝前壁部の前記凸部よりも大きく形成されていると好ましく、また、前記係止溝後壁部の前記凸部は、前記係止溝後壁部の先端部に形成されていると好ましい。
【手続補正１２】
【補正対象書類名】明細書
【補正対象項目名】００１５
【補正方法】変更
【補正の内容】
【００１５】
前記収容部は、前記シートフレームの後端部よりも前方に配置されていると好適である。また、前記収容部の内壁面には、凸部が形成されていると、より好適である。
【手続補正１３】
【補正対象書類名】明細書
【補正対象項目名】００１６
【補正方法】変更
【補正の内容】
【００１６】
前記シートフレームの後端部は、前方に向かって湾曲していると好ましい。
【手続補正１４】
【補正対象書類名】明細書
【補正対象項目名】００１７
【補正方法】変更
【補正の内容】
【００１７】
前記シートはクッションパッドを有し、前記取付部材は、前記クッションパッドの裏面よりも後方に配置されていると好適である。
【手続補正１５】
【補正対象書類名】明細書
【補正対象項目名】００１８
【補正方法】変更
【補正の内容】
【００１８】
本願発明のシートによれば、力布とシートフレームとの接続状態が好適に維持される。
また、本願発明のシートによれば、着座者が違和感を感じることを抑制することができる。